【手続補正書】
【提出日】平成25年6月24日(2013.6.24)
【手続補正１】
【補正対象書類名】特許請求の範囲
【補正対象項目名】全文
【補正方法】変更
【補正の内容】
【特許請求の範囲】
【請求項１】
ユーザが所属するグループの変更を指示するためのクライアント端末とネットワークを介して接続された情報処理装置とからなる設備備品予約システムであって、
ユーザが利用する設備及び備品を含む予約対象に対して予約を行うことが可能なユーザが所属するグループを記憶するための権限記憶手段と、
前記グループに所属するユーザを記憶するグループ記憶手段と、
前記ユーザが所属するグループにおいて予約を行うことが可能な予約対象に対して、予約したスケジュールを前記ユーザに対応させて記憶するスケジュール記憶手段と、
前記グループ記憶手段に記憶されたグループに所属するユーザの変更に応じて、前記ユーザのスケジュールが前記スケジュール記憶手段に記憶されていた場合、前記ユーザのスケジュールの解除を行うことを通知する通知手段と、
を備えたことを特徴とする設備備品予約システム。
【請求項２】
前記通知手段は、前記記憶手段に記憶されたグループの変更に応じて、前記グループに所属するユーザのスケジュールが前記スケジュール記憶手段に記憶されていた場合、前記ユーザのスケジュールの解除の通知を行うことを特徴とする請求項１または２に記載の設備予約システム。
【請求項３】
前記通知手段は、前記記憶手段に記憶されたグループの変更に応じて、前記ユーザのスケジュールが前記スケジュール記憶手段に記憶されていた場合、変更がなされたグループ以外のグループに所属する前記ユーザのスケジュールの解除の通知を行うことを特徴とする請求項１または２に記載の設備予約システム。
【請求項４】
前記通知手段によって前記スケジュールの解除を行う通知をした後、前記スケジュールの解除をすべきか否かを選択する解除選択手段と、
前記解除選択手段によって解除選択されたスケジュールをスケジュール記憶手段から削除する削除手段と、
を備えたことを特徴とする請求項１乃至３の何れか１項に記載の設備備品予約システム。
【請求項５】
前記解除選択手段によってユーザのスケジュールの解除を選択した後、前記ユーザが所属するグループの他のユーザに対して前記解除するスケジュールを割り当てることを通知する割当通知手段を備えたことを特徴とする請求項４に記載の設備備品予約システム。
【請求項６】
前記割当通知手段によって前記解除するスケジュールの割り当てを行う通知をした後、前記解除するスケジュールの割り当てをすべきか否かを選択する割当選択手段と、
前記割当選択手段によって割り当て選択されたスケジュールを前記他のユーザに対応して前記スケジュール記憶手段へ記憶する割当記憶手段と、
を備えたことを特徴とする請求項５に記載の設備備品予約システム。
【請求項７】
前記解除選択手段によってユーザのスケジュールの解除を選択した後、解除するスケジュールを割り当て対象となる前記ユーザが所属するグループの他のユーザを選択する割当選択手段と、
前記割当選択手段によって選択した他のユーザに対応して前記解除するスケジュールを前記スケジュール記憶手段に記憶する選択割当記憶手段と、
を備えたことを特徴とする請求項４乃至６の何れか１項に記載の設備備品予約システム。
【請求項８】
前記割当選択手段は、前記他のユーザがそれぞれ割り当て可能か否かを設定し、
前記選択割当記憶手段は、前記割当選択手段によって割り当て可能と設定された他のユーザに対応して前記解除するスケジュールを前記スケジュール記憶手段に記憶することを特徴とする請求項７に記載の設備備品予約システム。
【請求項９】
前記割当選択手段は、前記他のユーザがそれぞれ割り当て可能か否かを設定し、
前記選択割当記憶手段は、全ての前記他のユーザが割り当て可能か否かを設定した後、前記割当選択手段によって割り当て可能と設定された他のユーザに対応して前記解除するスケジュールを前記スケジュール記憶手段に記憶することを特徴とする請求項８に記載の設備備品予約システム。
【請求項１０】
ユーザが所属するグループの変更を指示するためのクライアント端末とネットワークを介して接続された情報処理装置であって、
ユーザが利用する設備及び備品を含む予約対象に対して予約を行うことが可能なユーザが所属するグループを記憶するための権限記憶手段と、
前記グループに所属するユーザを記憶するグループ記憶手段と、
前記ユーザが所属するグループにおいて予約を行うことが可能な予約対象に対して、予約したスケジュールを前記ユーザに対応させて記憶するスケジュール記憶手段と、
前記グループ記憶手段に記憶されたグループに所属するユーザの変更に応じて、前記ユーザのスケジュールが前記スケジュール記憶手段に記憶されていた場合、前記ユーザのスケジュールの解除を行うことを前記クライアント端末に対して通知する通知手段と、
を備えたことを特徴とする情報処理装置。
【請求項１１】
ユーザが所属するグループの変更を指示するためのクライアント端末とネットワークを介して接続された情報処理装置とからなる設備備品予約システムの制御方法であって、
前記グループに所属するユーザを記憶するグループ記憶手段に記憶されたグループに所属するユーザの変更に応じて、前記ユーザが所属するグループにおいて、ユーザが利用する設備及び備品を含む予約対象に対して予約を行うことが可能なユーザが所属するグループを記憶するための権限記憶手段を用いて、予約を行うことが可能な予約対象に対して、予約したスケジュールを前記ユーザに対応させて記憶するスケジュール記憶手段に、前記変更対象となるユーザのスケジュールが記憶されていた場合、前記変更対象となるユーザのスケジュールの解除を行うことを通知する通知ステップを、
を実行することを特徴とする設備備品予約システムの制御方法。
【請求項１２】
ユーザが所属するグループの変更を指示するためのクライアント端末とネットワークを介して接続された情報処理装置とからなる設備備品予約システムにおいて読取実行可能なプログラムであって、
前記グループに所属するユーザを記憶するグループ記憶手段に記憶されたグループに所属するユーザの変更に応じて、前記ユーザが所属するグループにおいて、ユーザが利用する設備及び備品を含む予約対象に対して予約を行うことが可能なユーザが所属するグループを記憶するための権限記憶手段を用いて、予約を行うことが可能な予約対象に対して、予約したスケジュールを前記ユーザに対応させて記憶するスケジュール記憶手段に、変更の対象となるユーザのスケジュールが記憶されていた場合、前記変更対象となるユーザのスケジュールの解除を行うことを通知する通知手段、
として機能させることを特徴とするプログラム。
【請求項１３】
ユーザが所属するグループの変更を指示するためのクライアント端末とネットワークを介して接続された情報処理装置の制御方法であって、
前記グループに所属するユーザを記憶するグループ記憶手段に記憶されたグループに所属するユーザの変更に応じて、前記ユーザが所属するグループにおいて、ユーザが利用する設備及び備品を含む予約対象に対して予約を行うことが可能なユーザが所属するグループを記憶するための権限記憶手段を用いて、予約を行うことが可能な予約対象に対して、予約したスケジュールを前記ユーザに対応させて記憶するスケジュール記憶手段に、変更の対象となるユーザのスケジュールが記憶されていた場合、前記変更対象となるユーザのスケジュールの解除を行うことを通知する通知ステップを、
を実行することを特徴とする情報処理装置の制御方法。
【請求項１４】
ユーザが所属するグループの変更を指示するためのクライアント端末とネットワークを介して接続された情報処理装置において読取実行可能なプログラムであって、
前記グループに所属するユーザを記憶するグループ記憶手段に記憶されたグループに所属するユーザの変更に応じて、前記ユーザが所属するグループにおいて、ユーザが利用する設備及び備品を含む予約対象に対して予約を行うことが可能なユーザが所属するグループを記憶するための権限記憶手段を用いて、予約を行うことが可能な予約対象に対して、予約したスケジュールを前記ユーザに対応させて記憶するスケジュール記憶手段に、変更の対象となるユーザのスケジュールが記憶されていた場合、前記変更対象となるユーザのスケジュールの解除を行うことを通知する通知手段、
として機能させることを特徴とするプログラム。
【手続補正２】
【補正対象書類名】明細書
【補正対象項目名】発明の名称
【補正方法】変更
【補正の内容】
【発明の名称】設備備品予約システム、情報処理装置、制御方法、及びプログラム
【手続補正３】
【補正対象書類名】明細書
【補正対象項目名】００１１
【補正方法】変更
【補正の内容】
【００１１】
従って、本発明では、上記問題を解決するために、ユーザが所属するグループの変更に応じて、当該ユーザが所属するグループ権限で利用可能な設備及び備品の予約を考慮して効率的に変更を行うことが可能な設備備品予約システム、情報処理装置、制御方法、及びプログラムを提供することを目的とする。
【手続補正４】
【補正対象書類名】明細書
【補正対象項目名】００１２
【補正方法】変更
【補正の内容】
【００１２】
上記目的を達成するための第一の発明は、ユーザが所属するグループの変更を指示するためのクライアント端末とネットワークを介して接続された情報処理装置とからなる設備備品予約システムであって、ユーザが利用する設備及び備品を含む予約対象に対して予約を行うことが可能なユーザが所属するグループを記憶するための権限記憶手段と、前記グループに所属するユーザを記憶するグループ記憶手段と、前記ユーザが所属するグループにおいて予約を行うことが可能な予約対象に対して、予約したスケジュールを前記ユーザに対応させて記憶するスケジュール記憶手段と、前記グループ記憶手段に記憶されたグループに所属するユーザの変更に応じて、前記ユーザのスケジュールが前記スケジュール記憶手段に記憶されていた場合、前記ユーザのスケジュールの解除を行うことを通知する通知手段と、を備えたことを特徴とする設備備品予約システムである。
【手続補正５】
【補正対象書類名】明細書
【補正対象項目名】００１３
【補正方法】変更
【補正の内容】
【００１３】
上記目的を達成するための第二の発明は、ユーザが所属するグループの変更を指示するためのクライアント端末とネットワークを介して接続された情報処理装置とからなる設備備品予約システムの制御方法であって、前記グループに所属するユーザを記憶するグループ記憶手段に記憶されたグループに所属するユーザの変更に応じて、前記ユーザが所属するグループにおいて、ユーザが利用する設備及び備品を含む予約対象に対して予約を行うことが可能なユーザが所属するグループを記憶するための権限記憶手段を用いて、予約を行うことが可能な予約対象に対して、予約したスケジュールを前記ユーザに対応させて記憶するスケジュール記憶手段に、前記変更対象となるユーザのスケジュールが記憶されていた場合、前記変更対象となるユーザのスケジュールの解除を行うことを通知する通知ステップを、を実行することを特徴とする設備備品予約システムの制御方法である。
【手続補正６】
【補正対象書類名】明細書
【補正対象項目名】００１４
【補正方法】変更
【補正の内容】
【００１４】
上記目的を達成するための第三の発明は、ユーザが所属するグループの変更を指示するためのクライアント端末とネットワークを介して接続された情報処理装置とからなる設備備品予約システムにおいて読取実行可能なプログラムであって、前記グループに所属するユーザを記憶するグループ記憶手段に記憶されたグループに所属するユーザの変更に応じて、前記ユーザが所属するグループにおいて、ユーザが利用する設備及び備品を含む予約対象に対して予約を行うことが可能なユーザが所属するグループを記憶するための権限記憶手段を用いて、予約を行うことが可能な予約対象に対して、予約したスケジュールを前記ユーザに対応させて記憶するスケジュール記憶手段に、前記変更対象となるユーザのスケジュールが記憶されていた場合、前記変更対象となるユーザのスケジュールの解除を行うことを通知する通知手段、として機能させることを特徴とするプログラムである。
【手続補正７】
【補正対象書類名】明細書
【補正対象項目名】００１５
【補正方法】変更
【補正の内容】
【００１５】
本発明によれば、ユーザが所属するグループ権限で利用可能な設備及び備品を予約した後、ユーザが所属するグループの変更を行う際に、当該ユーザの予約を解除するか否かを通知することで、効率的に設備備品予約システムの運用を行うことが可能となる、という効果を奏する。